(57)【要約】  【課題】  車両内に設置されるモニタを簡単に見やすく設置することができるモニタ支持具及びこのモニタ支持具付モニタを提供する。  【解決手段】  このモニタ支持具１では、固定部７に取り付けられたモニタ１００を、回転軸部５１を操作して第２取付部６２が脚部３に対して回転可能な状態にすると、モニタ１００の前後方向に回転させて位置決めして固定することができる。またこのモニタ支持具１では、固定部７が第１取付部６１に対して回転可能な方向にモニタ１００を回転するよう力を入れると回転し、その力を抜くと回転後の状態で固定される。従って、このモニタ支持具１を用いると、回転軸部５１の操作と、モニタ１００を回転させるだけの簡単な操作で、車両内に設置されるモニタ１００を簡単に見やすく設置することができる。【選択図】図１
2007285441.tif 000002
【特許請求の範囲】
【請求項１】
土台部と、
土台部から立設された一対の脚部と、
モニタに固定される固定部と、
この固定部が取り付けられる第１取付部、及び、前記脚部が取り付けられる第２取付部を備える基体部と、
前記一方の脚部の面であって、前記他方の脚部に対向する側の面に少なくとも設けられた孔部に嵌挿可能な中間体部と、
長手方向の一端につまみ部を備え、長手方向の他端に螺合溝が形成された回転軸部と
を備え、
前記中間体部及び前記孔部は、
前記中間体部が前記孔部に挿入される挿入方向を軸とする軸周りには回転不能な形状に形成され、
前記回転軸部は、
前記挿入方向に沿って前記他方の脚部から前記第２取付部に通され、前記中間体部に螺入されることによって、前記第２取付部を前記脚部に対して回転可能に取り付けるとともに、前記回転軸部の前記中間体部への螺入量を可変することによって、前記中間体部を前記第２取付部に対し当接あるいは離間するように摺動させ、
前記第２取付部が前記中間体部に対向する面、及び、前記中間体部が前記第２取付部に対向する面には、
前記中間体部を前記第２取付部に当接させると、前記第２取付部が前記回転軸部の軸周りに回転する回転方向に沿ったいずれかの回転位置で噛み合う第１ギア部が形成され、
前記固定部は、
前記回転軸部に平行な回転面に沿って回転可能に前記第１取付部に取り付けられるとともに、前記第１取付部に対し前記回転面に垂直な方向に移動可能に取り付けられ、
前記第１取付部が前記固定部に対向する面、及び、前記固定部が前記第１取付部に対向する面には、
前記固定部を前記第１取付部に当接させると、前記第１取付部が前記回転面に沿って回転するいずれかの回転位置で噛み合う第２ギア部が形成され、
前記固定部が前記第１取付部に対して移動して離間することによって噛み合いが外れた前記第２ギア部が噛み合う方向に前記固定部を付勢する付勢手段を備えることを特徴とするモニタ支持具。
【請求項２】
請求項１記載のモニタ支持具において、
前記固定部は、前記モニタを着脱可能に構成に構成されていることを特徴とするモニタ支持具。
【請求項３】
請求項１〜２のいずれかに記載されたモニタ支持具と、
前記モニタと
を備えたモニタ支持具付モニタであって、
前記モニタ支持具の固定部は、
前記固定部が前記モニタに対向する対向面に突設された鉤状の引掛部と、
この引掛部に引掛けられた前記モニタが前記対向面上で移動することを防止する移動防止突起を先端に備え、この移動防止突起が前記対向面から突出した状態に付勢するとともに、前記移動防止突起が前記対向面から突出しない位置まで移動可能に取り付けられた取外操作部と、
を備え、
前記モニタの筐体の裏面には、
前記引掛部を挿入可能に形成され、前記引掛部が挿入されて前記モニタが前記対向面に当接した状態で前記対向面に沿って当該モニタが移動されると、挿入された前記引掛部が、前記引掛部を挿入した方向とは逆の方向には前記引掛部が抜けない状態で嵌合する形状に形成された引掛孔部と、
前記引掛部が前記引掛孔部に嵌合したとき、前記移動防止突起を嵌挿可能な位置に設けられた突起嵌合孔部と
が形成されていることを特徴とするモニタ支持具付モニタ。
【請求項４】
請求項３記載のモニタ支持具付モニタにおいて、
前記モニタの筐体は、
前記モニタを上向きの状態で前記引掛部を前記引掛孔部に嵌合させたときに、前記取外操作部に嵌合する前記突起嵌合孔部である第１孔部と、
前記モニタを下向きの状態で前記引掛部を前記引掛孔部に嵌合させたときに、前記取外操作部に嵌合する前記突起嵌合孔部である第２孔部と、
を少なくとも備えることを特徴とするモニタ支持具付モニタ。
【発明の詳細な説明】
【技術分野】
【０００１】
本発明は、モニタを支持するモニタ支持具と、このモニタ支持具が取り付けられたモニタ支持具付モニタに関する。
【背景技術】
【０００２】
従来より、車両には、レーダ探知機やカーナビゲーションシステムで用いられるモニタなど、各種のモニタが搭載されている。
【発明の開示】
【発明が解決しようとする課題】
【０００３】
しかし、車両内は狭いため、モニタが取り付けられる場所や位置が制限されている。そのため、モニタは、必ずしも乗員が見やすい位置に設置できるものではなかった。またモニタを見やすい位置に配置するには、モニタの設置位置を新たに設けるなど、設置が困難である場合があった。
【０００４】
そこで本発明では、車両内に設置されるモニタを簡単に見やすく設置することができるモニタ支持具及びこのモニタ支持具付モニタを提供することを目的とする。
【課題を解決するための手段】
【０００５】
上述した問題を解決するためになされた発明である請求項１記載のモニタ支持具は、土台部と、土台部から立設された一対の脚部と、モニタに固定される固定部と、この固定部が取り付けられる第１取付部、及び、前記脚部が取り付けられる第２取付部を備える基体部と、前記一方の脚部の面であって、前記他方の脚部に対向する側の面に少なくとも設けられた孔部に嵌挿可能な中間体部と、長手方向の一端につまみ部を備え、長手方向の他端に螺合溝が形成された回転軸部とを備え、前記中間体部及び前記孔部は、前記中間体部が前記孔部に挿入される挿入方向を軸とする軸周りには回転不能な形状に形成され、前記回転軸部は、前記挿入方向に沿って前記他方の脚部から前記第２取付部に通され、前記中間体部に螺入されることによって、前記第２取付部を前記脚部に対して回転可能に取り付けるとともに、前記回転軸部の前記中間体部への螺入量を可変することによって、前記中間体部を前記第２取付部に対し当接あるいは離間するように摺動させ、前記第２取付部が前記中間体部に対向する面、及び、前記中間体部が前記第２取付部に対向する面には、前記中間体部を前記第２取付部に当接させると、前記第２取付部が前記回転軸部の軸周りに回転する回転方向に沿ったいずれかの回転位置で噛み合う第１ギア部が形成され、前記固定部は、前記回転軸部に平行な回転面に沿って回転可能に前記第１取付部に取り付けられるとともに、前記第１取付部に対し前記回転面に垂直な方向に移動可能に取り付けられ、前記第１取付部が前記固定部に対向する面、及び、前記固定部が前記第１取付部に対向する面には、前記固定部を前記第１取付部に当接させると、前記第１取付部が前記回転面に沿って回転するいずれかの回転位置で噛み合う第２ギア部が形成され、前記固定部が前記第１取付部に対して移動して離間することによって噛み合いが外れた前記第２ギア部が噛み合う方向に前記固定部を付勢する付勢手段を備えることを特徴とする。
【０００６】
このモニタ支持具では、土台部に一対の脚部が立設され、そのうちの一方の脚部の面であって他方の脚部に対向する側の面で少なくとも開口する孔部が設けられている。またこのモニタ支持具では、この孔部に中間体部が嵌挿され、回転軸部が、他方の脚部から第２取付部に通され、中間体部に螺入される。そのため、このモニタ支持具では、基体部が脚部に対し回転軸部を支点に回転可能に取り付けられる。
【０００７】
また、このモニタ支持具では、孔部及び中間体部は、中間体部が孔部に挿入される挿入方向には摺動可能に形成されているが、この挿入方向を軸とする軸周りには回転不能な形状に形成されている。そして、このモニタ支持具では、回転軸部が、中間体部の孔部への挿入方向に沿って他方の脚部から第２取付部に通されて中間体部に螺合され、回転軸部の中間体部への螺入量を可変することによって、中間体部が孔部内を摺動して、中間体部が第２取付部に対し当接あるいは離間する。さらにこのモニタ支持具では、第２取付部が中間体部に対向する面、及び、中間体部が第２取付部に対向する面には、中間体部を第２取付部に当接させると、第２取付部が回転軸部の軸周りに回転する回転方向に沿ったいずれかの回転位置で噛み合う第１ギア部が形成されている。そのため、このモニタ支持具では、回転軸部を操作して中間体部を第２取付部に当接させると、第１ギア部が互いに勘合して、第２取付部が回転軸部周りに回転することを阻止し、回転軸部を操作して中間体部を第２取付部から離間させると、第１ギア部の噛み合いが解けて、基体部が回転軸部周りに回転する。つまり、このモニタ支持具では、回転軸部を操作することによって、第２取付部を回転可能な状態にしたり、脚部に固定された状態にすることができる。
【０００８】
一方、このモニタ支持具では、モニタに固定される固定部は、回転軸部に平行な回転面に沿って回転可能に第１取付部に取り付けられ、加えて、第１取付部に対し回転面に垂直な方向に移動可能に取り付けられている。また、このモニタ支持具では、第１取付部が固定部に対向する面、及び、固定部が第１取付部に対向する面に、固定部を第１取付部に当接させると、第１取付部が回転面に沿って回転するいずれかの回転位置で噛み合う第２ギア部が形成されている。さらに、このモニタ支持具は、固定部を第１取付部に当接する方向に付勢する付勢手段を備えている。そのため固定部を、第１取付部に対し回転する方向に力を入れて操作すると、固定部の第２ギア部の山の斜面と、この山がかみ合っている第１取付部の第２ギアの谷の各斜面が擦れ合って、固定部が第１取付部から離間する方向に移動するとともに、固定部が第１取付部に対し回転する。そして、その操作を続けて、固定部の第２ギアの山の頂点が、第１取付部の第２ギアの谷を出て、隣の谷に移ると、付勢手段によって固定部が第１取付部に引き寄せられるとともにさらに回転して、固定部の第２ギアの山は、第１取付部の第２ギアの隣の谷に噛み合う。そのため、このモニタ支持具では、第１取付部に対して回転可能な方向に力を入れて固定部を回転させると、固定部が回転し、操作をしないと、付勢手段が第２ギア部を噛合せて、固定部が第１取付部に固定された状態が維持される。
【０００９】
そのため、このモニタ支持具を用いると、固定部に取り付けられたモニタを、回転軸部を操作して第２取付部が脚部に対して回転可能な状態にすると、モニタの前後方向に回転させて位置決めすることができ、その位置決めした位置で回転軸部を操作して第２取付部を脚部に対して固定すると、その位置決めした位置で固定できる。
【００１０】
またこのモニタ支持具を用いると、固定部が第１取付部に対して回転可能な方向にモニタを回転するよう力を入れると回転し、その力を抜くと回転後の状態で固定される。
従って、このモニタ支持具を用いると、回転軸部の操作と、モニタを回転させるだけの簡単な操作で、車両内に設置されるモニタを簡単に見やすく設置することができる。
【００１１】
尚、請求項２に記載したように、固定部は、モニタを着脱可能に構成してもよいことはもちろんである。
次に、請求項３に記載した発明は、請求項１〜４のいずれかに記載されたモニタ支持具と、前記モニタとを備えたモニタ支持具付モニタであって、前記モニタ支持具の固定部は、前記固定部が前記モニタに対向する対向面に突設された鉤状の引掛部と、この引掛部に引掛けられた前記モニタが前記対向面上で移動することを防止する移動防止突起を先端に備え、この移動防止突起が前記対向面から突出した状態に付勢するとともに、前記移動防止突起が前記対向面から突出しない位置まで移動可能に取り付けられた取外操作部と、を備え、前記モニタの筐体の裏面には、前記引掛部を挿入可能に形成され、前記引掛部が挿入されて前記モニタが前記対向面に当接した状態で前記対向面に沿って当該モニタが移動されると、挿入された前記引掛部が、前記引掛部を挿入した方向とは逆の方向には前記引掛部が抜けない状態で嵌合する形状に形成された引掛孔部と、前記引掛部が前記引掛孔部に嵌合したとき、前記移動防止突起を嵌挿可能な位置に設けられた突起嵌合孔部とが形成されていることを特徴とする。
【００１２】
このモニタ支持具付モニタでは、引掛部を、モニタの裏面に設けられた引掛孔部に挿入して引掛孔部に嵌合させると、モニタが固定部の対向面に当接した状態で、引掛部が、引掛部を挿入した方向とは逆の方向には抜けないように嵌合する。そして引掛部が引掛孔部に嵌合されると、移動防止突起が突起嵌合孔部に嵌合し、引掛部が嵌合の解ける方向に移動することを防止する。そのため、モニタが固定部に確実に固定される。一方、移動防止突起は、取外操作部の付勢力に逆らって移動させると、突起嵌合孔部からはずれ、引掛部が嵌合の解ける方向に移動することが可能となるので、引掛部と引掛孔部との嵌合を解けば、モニタを固定部から外すことができる。
【００１３】
従って、このモニタ支持具付モニタでは、モニタをモニタ支持具に対して自由に着脱することができ、しかも、モニタをモニタ支持具に確実に固定することができる。
尚、請求項４に記載のモニタ支持具付モニタのように、モニタの筐体に、モニタを上向きの状態で引掛部を引掛孔部に嵌合させたときに、取外操作部に嵌合する突起嵌合孔部である第１孔部と、モニタを下向きの状態で引掛部を引掛孔部に嵌合させたときに、取外操作部に嵌合する突起嵌合孔部である第２孔部とを形成してもよい。
【００１４】
このように形成すると、モニタを通常の設置状態と、モニタの画面に沿った方向に１８０度回転させた状態でも取り付けることができる。そのため、モニタ支持具が取り付けられる土台部がモニタより上になるなどしても、モニタの取付方向を１８０度変えれば、モニタを通常の設置状態で設置することができる。
【発明を実施するための最良の形態】
【００１５】
以下、本発明を実施するための最良の形態について図面を用いて説明する。
図１は、本実施形態のモニタ支持具の説明図で、（ａ）は分解斜視図、（ｂ）は背面斜視図、（ｃ）は正面斜視図である。図２は、本実施形態のモニタ支持具を構成する中間体ナット８の斜視図である。図３は、本実施形態のモニタ支持具を構成する基体部３の斜視図である。図４は、本実施形態のモニタ支持具に取り付けられるモニタの裏面図で、（ａ）は、モニタが正位置にあるときの裏面図、（ｂ）は、モニタが上下反転させた逆位置にあるときの裏面図である。図５は、本実施形態のモニタ支持具にモニタを取り付けた様子を説明するための説明図で、モニタ支持具の背面斜視図である。
【００１６】
尚、モニタ支持具は、土台部をインパネ等に固定して、固定部に固定されたモニタをインパネ等の上方に設置するものであるが、そのような設置状態において、固定部から見て土台部が配置される方向を下方、土台部から見て固定部が配置される方向を上方として説明する。
【００１７】
本実施形態のモニタ支持具１は、図１に示すように、土台部２、脚部３、中間体ナット４、つまみ付ネジ５、基体部６、固定部７、鶴巻バネ８、カバー部９を備えている。以下各構成について説明する。
【００１８】
土台部２は、薄い板状に形成され、厚み方向に垂直な上面及び接地面は、略長方形状に形成されている。
脚部３は一対備えられ、各脚部３０，３１は土台部２の上面から立設されている。これら脚部３０，３１は、土台部２の上面の長尺な一辺に沿って所定間隔離れた位置に配置されている。このうち一方の脚部３１には、他方の脚部３０に対向する側の面から、反対側にかけて貫通する孔部３２が形成されている。この孔部３２は、中間体ナット４を嵌挿可能に構成されている。また、他方の脚部３０には、ツマミ付ネジ５の後述する回転軸部５１を挿通可能な挿通孔３３が形成されている。
【００１９】
中間体ナット４は、図２に示すように、ツマミ付ネジ５の回転軸部５１を挿通可能な挿通孔４０が形成されている。また、中間体ナット４は、その外周面のうち挿通孔４０の軸周りの側面４１の形状が挿通孔４０の軸方向に垂直な断面で見て略六角形の形状となるように形成されている。またこの中間体ナット４は、挿通孔４０が開口する面のうち一方の面上には、その開口４２の周囲に、挿通孔４０の開口４２を囲む円に沿って、この開口４２と同軸状に歯部が並ぶように形成された第１ギア部４３が形成されている。また、この中間体ナット４は、挿通孔４０が開口する面のうち第１ギア部４３が設けられた側とは反対側の面側に設けられ、六角形状に形成された側面より大径状のフランジ部４４が形成されている。またこの中間体ナット４には、図１（ａ）に示すように、挿通孔４０が開口する面のうち第１ギア部４３が設けられた側とは反対側の図示しない面側に、ナット４５が嵌挿して固定される。このナット４５は、挿通孔４０を通ってナット４５に達したツマミ付ネジ５の回転軸部５０の先端に螺合する。
【００２０】
そして、脚部３１の孔部３２は、中間体ナット４の外周面のうち挿通孔４０の軸周りの側面４１の形状と相似な略六角形状に穿孔されている。そのため、中間体ナット４を脚部３１の孔部３２に嵌挿すると、中間体ナット４を孔部３２に挿入した挿入方向には摺動して移動することはできるが、中間体ナット４が孔部３２に挿入される挿入方向を軸とする軸周りには回転することはできない状態で、中間体ナット４は孔部３２に嵌挿される。
【００２１】
ツマミ付ネジ５は、つまみ部５０と、回転軸部５１とを備えている。このうちつまみ部５０は、回転軸部５１の長手方向の一端に備えられている。また、回転軸部５１は、その長手方向の他端からつまみ部５０が形成されたところまで螺合溝が形成されている。このツマミ付ネジ５の回転軸部５１は、中間体ナット４を孔部３２に挿入した挿入方向に沿って他方の脚部３０の孔部３３から基体部６の第２取付部６２に通される。そして、回転軸部５１は、中間体ナット４の挿通孔４０に挿通させて、中間体ナット４に固定されたナット４５に螺入する。すると、第２取付部６２が脚部３に対して回転可能に取り付けられる。また、このツマミ付ネジ５は、つまみ部５０を操作して、回転軸部５１の中間体ナット４への螺入量を可変すると、中間体ナット４を第２取付部６２に対し当接あるいは離間するように摺動させることができる。
【００２２】
基体部６は、固定部７が取り付けられる第１取付部６１、脚部３が取り付けられる第２取付部６２、及び、この第１取付部６１と第２取付部６２とを一体的に連結するアーム部６３からなる。
【００２３】
第２取付部６２は、図３に示すように、回転軸部５１を挿通する挿通孔６２０が形成され、この挿通孔６２０の中心軸と同軸な略円筒状に形成されている。そして、この挿通孔６２０が開口する面に対向する位置に脚部３０，３１が配置されるように、この第２取付部６２は脚部３０，３１の間に配置される。この第２取付部６２の挿通孔６２０が開口する面のうち、脚部３１に嵌挿された中間体ナット４と対向する側の面６２１上には、挿通孔６２０の開口の周囲に、挿通孔６２０の開口を囲む円に沿って、この開口と同軸状に歯部が並ぶように形成された第１ギア部６２２が形成されている。この第１ギア部６２２は、中間体ナット４に形成された第１ギア部４３と対をなすギア部で、これら第１ギア部は４３、６２２は、同じ大きさに形成されている。そして、第２取付部６２を脚部３０，３１の間に配置すると、中間体ナット４の第１ギア部４３も第２取付部６２の第１ギア部６２２に対向する面側に第１ギア部４３が形成されているので、ツマミ部５０を操作して中間体ナット４を第２取付部６２に当接させれば、第２取付部６２が回転軸部５１の軸周りに回転する回転方向に沿ったいずれかの回転位置で噛み合う。
【００２４】
アーム部６３は、第２取付部６２の外周面上に立設され、第２取付部６２の挿通孔６２０の中心軸に対して垂直な方向に向かって立設されている。
第１取付部６１は、図３に示すように、固定部７が取り付けられる側には、回転軸部５１に平行な回転面に沿った円盤状の取付面６１０が形成されている。そして、この取付面６１０の円盤中心には、後述する回転軸筒７１と同軸状にこの回転軸筒７１を挿通可能な挿通孔６１１が穿孔されている。また、この挿通孔６１１の開口の周囲に、挿通孔６１１の開口を囲む円に沿って、この開口と同軸状に歯部が並ぶように形成された第２ギア部６１２が形成されている。また、この第１取付部６１の取付面６１０の縁部からは、固定部７が取り付けられる側とは反対側に向かって立設された側面壁部６１３が形成されている。
【００２５】
またこの第１取付部６１は、図１に示すように、固定部７が取り付けられる側とは反対側に、鶴巻バネ８を収納可能な大きさに形成され、取付面６１０と同軸な円筒状に形成された収納部６１４を備えている。前述した挿通孔６１１はこの収納部６１４内で開口している。
【００２６】
固定部７は、モニタに固定されるもので、図１（ａ）に示すように、固定基盤７０と、回転軸筒７１と、回転枠７２と、取外操作部７３と、引掛溝部７４と、第２ギア部７５と、図１（ｃ）に示すように、引掛部７６とを備えている。
【００２７】
固定基盤７０は円盤状に形成されている。尚、以下では、回転軸筒７１が取り付けられる側の面を固定面７０ａ、その反対側のモニタに対向する側の面を対向面７０ｂと呼ぶ。
回転軸筒７１は、固定面７０ａ上から固定基盤７０と同軸状に立設されている。また、回転軸筒７１は、先端側からその円筒中心にネジ部を螺入可能に形成されている。この回転軸筒７１は、固定部７が基体部６に取り付けられるとき、挿通孔６１１に挿通される。すると、固定部７は、回転軸筒７１に垂直な回転面に沿って回転可能に第１取付部６１に取り付けられるとともに、第１取付部６１に対し回転面に垂直な方向に移動可能に取り付けられる。
【００２８】
第２ギア部７５は、回転軸筒７１の周囲に、回転軸筒７１を囲む円に沿って、この回転軸筒７１と同軸状に歯部が並ぶように形成されている。この第２ギア部７５は、基体部６に形成された第２ギア部６１２と対をなすギア部で、これら第２ギア部は７５、６１２は、同じ大きさに形成されており、回転軸筒７１を挿通孔６１１に挿通させて固定部７を基体部６の第１取付部に当接させると、固定部７が回転軸筒７１の軸周りに回転する回転方向に沿ったいずれかの回転位置で噛み合う。
【００２９】
回転枠７２は、固定基盤７０の縁部から、その縁部に沿って基体部６に取り付けられる側に向かって突設されている。回転軸筒７１が挿通孔６１１に挿通されることによって固定部７が基体部６に取り付けられると、この回転枠７２は、第１取付部６１の側面壁部６１３を囲み、固定部７を基体部６に対して回転させると側面壁部６１３上を摺動する。
【００３０】
取外操作部７３は、固定基盤７０の縁部から、基体部６に取り付けられる側に向かって突設されている。また、この操作部７３は、対向面７０ｂ上に突設された移動防止突起７３０（図１（ｃ）参照）を備えている。この操作部７３は、基体部６が取り付けられる側に向かって引く事ができるように構成され、このように操作すると移動防止突起７３０が対向面７０ｂから突出しない位置まで移動する。またこの操作部７３は、非操作状態のとき、移動防止突起７３０が対向面７０ｂから突出した状態になるよう付勢されている。そのため、操作された操作部７３を非操作状態にすると、付勢力により、移動防止突起７３０が対向面７０ｂ上に突設された状態になる。この移動防止突起７３０は、モニタ１００の裏面に設けられた後述する突起嵌合孔部に嵌合すると、引掛部７６に引掛けられたモニタ１００が対向面７０ｂ上で移動することを防止する。
【００３１】
引掛溝部７４は、カバー部９のアーム部９０を引掛ける部分であり、固定面７０ａの中心軸を挟んだ左右両側に形成されている。
引掛部７６は、図１（ｃ）に示すように、固定基盤７０の対向面７０ｂ上に突設され、固定基盤７０の回転中心を挟んだ左右両側にそれぞれ取り付けられている。この引掛部７６は、鉤状に形成され、その先端の折れ曲がった部分は、対になる引掛部７６側にそれぞれ向いた状態に形成されている。
【００３２】
カバー部９は、基体部６の第１取付部６１の収納部６１４が取り付けられる側を覆う大きさに形成され、基体部６の第１取付部６１に取り付けられた固定部７の引掛溝部７４に掛合可能な一対のアーム部９０を備えている。
【００３３】
以上説明したモニタ支持具１は、次のように組み立てる。
まず、中間体ナット４を脚部３１の孔部３２に嵌挿する。そして基体部６の第１取付部６２を脚部３０，３１の間に配置し、ツマミ付ネジ５の回転軸部５１を脚部３０の挿通孔３３、第１取付部６２の挿通孔６２０、中間体ナット４の挿通孔４０に通し、つまみ部５０を回転させて、回転軸部５１の先端をナット４５に螺号させる。
【００３４】
次に、固定部７の回転軸筒７１を、基体部６の第１取付部６１の挿通孔６１１に通し、鶴巻バネ８を収納部６１４に挿入する。そして、鶴巻バネ８の中を通って固定部７とは反対側に抜けた回転軸筒７１に、ワッシャ８０を介してネジ８１を螺号させる。すると鶴巻バネ８はワッシャ８０を第１取付部６１から遠ざける方向に付勢するので、ワッシャ８０を介してワッシャ８０を止めているネジ８１もその方向に付勢され、結果として回転軸筒７１もその方向に付勢する。そして、回転軸筒７１がその方向に付勢されることによって、鶴巻バネ８は固定部７を基体部６に当接する方向に付勢する。
【００３５】
そして、カバー９を、基体部６を挟んで固定部７に取り付ける。
次に、以上のようにして組み立てられたモニタ支持具１に取り付けられるモニタ１００について説明する。
【００３６】
モニタ１００は、図４に示すように、裏面側に引掛孔部１０１と、突起嵌合孔部１０２とが形成されている。
引掛孔部１０１は、引掛部７６を挿入可能に形成され、引掛部７６が挿入されてモニタ１００が対向面７０ｂに当接した状態で対向面７０ｂに沿ってモニタ１００を移動すると、挿入された引掛部７６が、引掛部７６を挿入した方向とは逆の方向に抜けない状態で嵌合する形状に形成されている。
【００３７】
突起嵌合孔部１０２は、引掛部７６が引掛孔部１０１に嵌合したとき、移動防止突起７３０を嵌挿可能な位置に設けられている。
そのため、モニタ１００は、引掛孔部１０１に引掛部７６を引掛けて嵌合させ、突起嵌合孔部１０２に移動防止突起７３０を嵌合させれば、図５に示すように、固定部７に固定される。
【００３８】
また、操作部７３を操作し、移動防止突起７３０を固定面７０ｂ側から突出しない状態とすれば、移動防止突起７３０は突起嵌合部１０２からはずれるので、そのときにモニタ１００を移動して引掛孔部１０１と引掛部７６との嵌合を解いて、引掛部７６を引掛孔部１０１から抜けば、モニタ１００をモニタ支持具１からはずすことができる。
【００３９】
また、モニタ１００は、突起嵌合孔部１０２を、引掛孔部１０１の上下に一つずつ備えているので、モニタ１００を上下反転させて、モニタ支持具１に取り付けることができる。
[作用効果]
このモニタ支持具１では、土台部２に一対の脚部３０，３１が立設され、そのうちの一方の脚部３１には孔部３２が設けられている。またこのモニタ支持具１では、この孔部３２に中間体ナット４が嵌挿され、回転軸部５１が、他方の脚部３０から第２取付部６２に通され、中間体ナット４のナット４５に螺入される。そのため、このモニタ支持具１では、基体部６が脚部３に対し回転軸部５１を支点に回転可能に取り付けられる。
【００４０】
また、このモニタ支持具１では、孔部３２及び中間体ナット４は、中間体ナット４が孔部３２に挿入される挿入方向には摺動可能に形成されているが、この挿入方向を軸とする軸周りには回転不能な形状に形成されている。そして、このモニタ支持具１では、回転軸部５１が、中間体ナット４の孔部３２への挿入方向に沿って他方の脚部３０から第２取付部６２に通されて中間体ナット４に螺合され、回転軸部５１の中間体ナット４１への螺入量を可変することによって、中間体ナット４１が孔部３２内を摺動して、中間体ナット４１が第２取付部６２に対し当接あるいは離間する。さらにこのモニタ支持具１では、第２取付部６２が中間体ナット４１に対向する面、及び、中間体ナット４１が第２取付部６２に対向する面には、中間体ナット４を第２取付部６２に当接させると、第２取付部６２が回転軸部５１の軸周りに回転する回転方向に沿ったいずれかの回転位置で噛み合う第１ギア部４３、６２２が形成されている。そのため、このモニタ支持具１では、回転軸部５１を操作して中間体ナット４を第２取付部６２に当接させると、第１ギア部４３，６２２が互いに噛み合い、第２取付部６２が回転軸部５１周りに回転することを阻止し、回転軸部５１を操作して中間体ナット４を第２取付部６２から離間させると、第１ギア部４３，６２２の噛み合いが解けて、基体部６が回転軸部５１周りに回転する。つまり、このモニタ支持具１では、回転軸部５１を操作することによって、第２取付部６２を回転可能な状態にしたり、脚部３に固定された状態にすることができる。
【００４１】
一方、このモニタ支持具１では、モニタ１００に固定される固定部７は、回転軸部５１に平行な回転面に沿って回転可能に第１取付部６１に取り付けられ、加えて、第１取付部６１に対し回転面に垂直な方向に移動可能に取り付けられている。また、このモニタ支持具１では、第１取付部６１が固定部７に対向する取付面６１０、及び、固定部７が第１取付部６１に対向する対向面７０ａには、固定部７を第１取付部６１に当接させると、第１取付部６１が回転面に沿って回転するいずれかの回転位置で噛み合う第２ギア部７５、６１２が形成されている。さらに、このモニタ支持具１は、固定部７を第１取付部６１に当接する方向に付勢する鶴巻バネ８を備えている。そのため固定部７を、第１取付部６１に対し回転する方向に力を入れて操作すると、固定部７の第２ギア部７５の山の斜面と、この山がかみ合っている第１取付部６１の第２ギア部６１２の谷の各斜面が擦れ合って、固定部７が第１取付部６１から離間する方向に移動するとともに、固定部７が第１取付部６１に対し回転する。そして、その操作を続けて、固定部７の第２ギア部６１２の山の頂点が、第１取付部６１の第２ギア部６１２の谷を出て、隣の谷に移ると、鶴巻バネ８によって固定部７が第１取付部６１に引き寄せられるとともにさらに回転して、固定部７の第２ギア部７５の山は、第１取付部６１の第２ギア部６１２の隣の谷に噛み合う。そのため、このモニタ支持具１では、第１取付部６１に対して回転可能な方向に力を入れて固定部７を回転させると固定部７が回転し、操作をしないと、鶴巻バネ８が第２ギア部７５，６１２が噛み合わされて、固定部７が第１取付部６１に固定された状態が維持される。
【００４２】
そのため、このモニタ支持具１を用いると、固定部７に取り付けられたモニタ１００を、回転軸部５１を操作して第２取付部６２が脚部３に対して回転可能な状態にすると、モニタ１００の前後方向に回転させて位置決めすることができ、その位置決めした位置で回転軸部５１を操作して第２取付部６２を脚部３に対して固定すると、その位置決めした位置で固定できる。
【００４３】
またこのモニタ支持具１を用いると、本実施形態では、固定部７が基体部６に対して回転する面が平板状に形成されたモニタ１００の画面に平行なので、モニタ１００をその画面に平行な平面内で回転するよう力を入れると回転し、その力を抜くと回転後の状態で固定される。
【００４４】
従って、このモニタ支持具１を用いると、回転軸部５１の操作と、モニタ１００を回転させるだけの簡単な操作で、車両内に設置されるモニタ１００を簡単に見やすく設置することができる。
【００４５】
ところで、モニタ支持具１では、引掛部７６を、モニタ１００の裏面に設けられた引掛孔部１０１に挿入して引掛孔部１０１に嵌合させると、モニタ１００が固定部７の対向面７０ｂに当接した状態で、引掛部７６が、引掛部７６を挿入した方向とは逆の方向には抜けないように嵌合する。そして引掛部７６が引掛孔部１０１に嵌合されると、移動防止突起７３０が突起嵌合孔部１０２に嵌合し、引掛部７６と引掛孔部１０１との嵌合の解ける方向にモニタ１００が移動することを防止する。そのため、モニタ１００が固定部７に確実に固定される。一方、移動防止突起７３０は、取外操作部７３の付勢力に逆らって移動させると、突起嵌合孔部１０２からはずれ、引掛部７６が嵌合の解ける方向に移動することが可能となるので、引掛部７６と引掛孔部１０１との嵌合を解けば、モニタ１００を固定部７から外すことができる。
【００４６】
従って、このモニタ支持具１を用いれば、モニタをモニタ支持具に対して自由に着脱することができ、しかも、モニタ１００をモニタ支持具１に確実に固定することができる。
また、このモニタ支持具１は、二つ設けられた突起嵌合穴部１０２を利用すると、モニタ１００を通常の設置状態と、モニタ１００の画面に沿った方向に１８０度回転させた状態でも取り付けることができる。そのため、土台部７を上にしてモニタ１００を固定部７に取り付けるなどしても、モニタ１００の取付方向を１８０度変えれば、モニタ１００を通常の設置状態で設置することができる。
【００４７】
尚、本実施形態の鶴巻バネ８は本発明の付勢手段に相当し、二つ設けられた突起嵌合孔部１０２は、一方が本発明の第１孔部に相当し、他方が第２孔部に相当する。
以上本発明の一実施形態ついて説明したが、本発明はこの実施形態に何等限定されるものではなく、本発明の要旨を逸脱しない範囲において、種々なる態様で実施し得ることは勿論である。
【００４８】
尚、上記実施形態では、脚部３１には、この脚部３１を貫通する孔部３２を設けたが、このような大きな孔ではなく、他方の脚部３０に対向する側の面に少なくとも設けられていればよい。
【図面の簡単な説明】
【００４９】
【図１】本実施形態のモニタ支持具の説明図で、（ａ）は分解斜視図、（ｂ）は背面斜視図、（ｃ）は正面斜視図である。
【図２】本実施形態のモニタ支持具を構成する中間体ナットの斜視図である。
【図３】本実施形態のモニタ支持具を構成する基体部の斜視図である。
【図４】本実施形態のモニタ支持具に取り付けられるモニタの裏面図で、（ａ）は、モニタが正位置にあるときの裏面図、（ｂ）はモニタが上下反転させた逆位置にあるときの裏面図である。
【図５】本実施形態のモニタ支持具にモニタを取り付けた様子を説明するための説明図で、モニタ支持具の背面斜視図である。
【符号の説明】
【００５０】
１…モニタ支持具、２…土台部、３（３０，３１）…脚部、４…中間体ナット、５…ツマミ付ネジ、６…基体部、７…固定部、８…鶴巻バネ、９…カバー、３２…孔部、３３…挿通孔、４０…挿通孔、４１…側面、４２…開口、４３…第１ギア部、４４…フランジ部、４５…ナット、５０…ツマミ部、５１…回転軸部、６１…第１取付部、６２…第２取付部、６３…アーム部、７０…固定基盤、７０ａ…固定面、７０ｂ…対向面、７１…回転軸筒、７２…回転枠、７３…取外操作部、７４…引掛溝部、７５…第２ギア部、７６…引掛部、８０…ワッシャ−、８１…ネジ、６１０…取付面、６１１…挿通孔、６１２…第２ギア部、６１３…側面壁部、６１４…収納部、６２０…挿通孔、６２２…第１ギア部
【図１】
2007285441.tif 000003
【図２】
2007285441.tif 000004
【図３】
2007285441.tif 000005
【図４】
2007285441.tif 000006
【図５】
2007285441.tif 000007